(57)【要約】【課題】安定、且つ良好に生体信号を検出することができる生体情報検出装置を提供する。【解決手段】装置本体と、装置本体に設けられ、それぞれ生体表面に接触する一対の電極部２６Ａ，２６Ｂと、一対の電極部２６Ａ，２６Ｂを覆うとともに、装置本体を身体に固定するための帯状の固定バンド３０と、を備え、電極部２６Ａ，２６Ｂと固定バンド３０との間には、電極部２６Ａ，２６Ｂと固定バンド３０との固定バンド３０の延在方向への相対移動を許容し、延在方向に直交する幅方向への移動を規制するガイド部４０Ａが配設されている。【選択図】図５
2015083064.tif 000002
【特許請求の範囲】
【請求項１】
装置本体と、
前記装置本体に設けられ、それぞれ生体表面に接触する一対の電極部と、
前記一対の電極部を覆うとともに、前記装置本体を身体に固定するための帯状の固定部材と、
前記電極部と前記固定部材との間に配設され、前記電極部と前記固定部材との前記固定部材の延在方向への相対移動を許容し、前記延在方向に直交する幅方向への移動を規制するガイド部と、を備えていることを特徴とする生体情報検出装置。
【請求項２】
前記ガイド部は、
前記電極部側に配設された係合部と、
前記固定部材側に配設され、前記係合部が前記幅方向で係合される被係合部と、を備えていることを特徴とする請求項１記載の生体情報検出装置。
【請求項３】
前記係合部および前記被係合部は、前記幅方向に沿って複数配設されていることを特徴とする請求項２記載の生体情報検出装置。
【請求項４】
前記係合部は、前記延在方向に沿う長さが前記被係合部よりも長くなっていることを特徴とする請求項２または請求項３記載の生体情報検出装置。
【請求項５】
前記ガイド部は、前記電極部および前記固定部材のうち、一方の部材に配設されるとともに、他方の部材に前記幅方向で係合される係合部を備えていることを特徴とする請求項１記載の生体情報検出装置。
【発明の詳細な説明】
【技術分野】
【０００１】
本発明は、生体情報検出装置に関するものである。
【背景技術】
【０００２】
身体の生体表面にセンサ電極を接触させ、生体信号を検出する生体情報検出装置が存在する。この種の生体情報検出装置の中には、例えば、心臓の鼓動に伴って発生する心電信号をセンサ電極によって検出し、生体表面から心拍数を計測するものがある。このような生体情報検出装置としては、例えば特許文献１に示されるように、一対の電極部と、電極部で検出した心電信号を外部に送信する装置本体と、を備えたものがある。装置本体は、一対の電極部のそれぞれとワイヤにより電気的に接続されている。一対の電極部は、身体に装着された衣類等を挟み、身体における所定の部位に電極部を保持しておくためのフックを有している。そして、衣類等により、生体表面に向かって一対の電極部が押圧される。
【０００３】
また、下記特許文献１には、衣類等に代わって、身体における所定の部位に電極部を保持しておくための装着ベルトを別途用意した構成も開示されている。この装着ベルトには、フックを受け入れる切込みが形成されており、装着ベルトに対する電極部の位置がずれないようになっている。
このような構成のもと、心臓の鼓動に伴って発生する心電信号を一対の電極部が検出することにより、心拍数が計測される。
【先行技術文献】
【特許文献】
【０００４】
【特許文献１】特許第４４３９８５６号公報
【発明の概要】
【発明が解決しようとする課題】
【０００５】
しかしながら、上記従来技術において、衣類等にフックを挟み込んで電極部を保持する場合、フックの挟持力だけでは、電極部に対して十分な保持力を得ることが困難である。このため、装着者の動き方によっては衣類等から電極部がずれたり外れたりして、電極部の生体表面への押圧力が失われ、心電信号の検出が良好に行われないという課題がある。
【０００６】
一方、装着ベルト等の切込みにフックを差し込んで電極部を保持する場合、装着ベルトに対する電極部の位置がずれないので、電極部の生体表面への押圧力が失われることがない。しかしながら、装着者の動きに追随して装着ベルトが延在方向に沿って伸縮すると、この装着ベルトの伸縮動作に追随して電極部の位置がずれてしまう。このため、生体表面に対する電極部の接触位置が不安定になり、心電信号の検出が良好に行われないという課題がある。また、装着ベルトの伸長動作に伴い、電極部のワイヤが装着ベルトの延在方向に沿って引っ張られることで、断線等のおそれもある。
【０００７】
そこで、本発明は、上記事情に鑑みてなされたものであって、安定、且つ良好に生体信号を検出することができる生体情報検出装置を提供することを目的とする。
【課題を解決するための手段】
【０００８】
上記の課題を解決するため、本発明の生体情報検出装置は、装置本体と、前記装置本体に設けられ、それぞれ生体表面に接触する一対の電極部と、前記一対の電極部を覆うとともに、前記装置本体を身体に固定するための帯状の固定部材と、前記電極部と前記固定部材との間に配設され、前記電極部と前記固定部材との前記固定部材の延在方向への相対移動を許容し、前記延在方向に直交する幅方向への移動を規制するガイド部と、を備えていることを特徴としている。
【０００９】
この構成によれば、電極部と固定部材との延在方向への相対移動を許容し、幅方向への移動を規制するガイド部が配設されているため、例えば装着者の深呼吸や動作等によって、固定部材が延在方向に沿って伸縮等した場合には、電極部と固定部材とがガイド部を介して延在方向に沿って相対移動することになる。すなわち、電極部が固定部材の伸縮等に追従しないので、固定部材の伸縮等に伴って電極部が延在方向に引っ張られるのを抑制できる。したがって、装着者に対する電極部の位置がずれるのを抑制して、装着者に対する電極部の接触状態や接触位置を安定させることができる。
また、固定部材の伸縮等に伴って電極部が延在方向に引っ張られるのを抑制できるので、電極部の断線等も防ぐことができる。
一方、電極部と固定部材との幅方向への相対移動がガイド部により規制されるため、電極部が固定部材に対して幅方向にずれたり外れたりするのを防ぎ、装着者に対する電極部の接触状態や接触位置を安定させることができる。
【００１０】
また、前記ガイド部は、前記電極部側に配設された係合部と、前記固定部材側に配設され、前記係合部が前記幅方向で係合される被係合部と、を備えていることを特徴としている。
この構成によれば、係合部と被係合部とが幅方向で係合されるため、電極部と固定部材との延在方向への相対移動を許容し、幅方向への移動を規制した上で、ガイド部による電極部と固定部材との係合状態を確実に維持できる。
【００１１】
また、前記係合部および前記被係合部は、前記幅方向に沿って複数列形成されていることを特徴としている。
この構成によれば、係合部および被係合部が幅方向に複数形成されているので、例えば装着者の激しい動作（例えば、ひねり等）により、万が一、係合部が一の被係合部に対して幅方向に相対変位して一の被係合部を乗り越えてしまっても、一の被係合部に隣接する他の被係合部と係合部とが再び係合されることで、係合部と被係合部との係合状態が維持される。これにより、装着者に対する電極部の接触状態や接触位置を確実に安定させることができる。
【００１２】
また、前記係合部は、前記延在方向に沿う長さが前記被係合部よりも長くなっていることを特徴としている。
この構成によれば、電極部側の係合部が固定部材側の被係合部よりも延在方向に沿う長さが長くなっているため、電極部の延在方向に沿う外側端部から被係合部がはみ出すのを抑制できる。そのため、被係合部が装着者の生体表面に接触するのを抑制し、快適な装着性を実現できる。
【００１３】
また、前記ガイド部は、前記電極部および前記固定部材のうち、一方の部材に配設されるとともに、他方の部材に前記幅方向で係合される係合部を備えていることを特徴としている。
この構成によれば、一方の部材の係合部を、他方の部材に対して幅方向で係合させるため、他方の部材自体をガイド部として機能させることができる。そのため、構成の簡素化や低コスト化を図ることができる。
【発明の効果】
【００１４】
本発明によれば、安定、且つ良好に生体信号を検出することができる。
【図面の簡単な説明】
【００１５】
【図１】本発明の第一実施形態における生体情報検出装置である心拍計測装置を、装着者に取り付けた状態の正面図である。
【図２】心拍計測装置を、装着者に取り付けた状態の横断面図である。
【図３】図２の要部拡大図である。
【図４】心拍計測装置の構成を示す分解斜視図である。
【図５】心拍計測装置におけるガイド部を示す斜視図である。
【図６】図１のＡ−Ａ線に沿う断面図である。
【図７】第一実施形態の変形例を示す図であって、図５に相当する斜視図である。
【図８】第一実施形態の変形例を示す図であって、図５に相当する斜視図である。
【図９】第一実施形態の変形例を示す図であって、図５に相当する斜視図である。
【図１０】第二実施形態を示す図であって、図５に相当する斜視図である。
【発明を実施するための形態】
【００１６】
（第一実施形態）
次に、本発明の第一実施形態を図面に基づいて説明する。
図１は、本発明の第一実施形態における生体情報検出装置である心拍計測装置１０を、装着者Ｓに取り付けた状態の正面図である。
図１に示すように、心拍計測装置（生体情報検出装置）１０は、装着者Ｓの生体表面である胸部に装着して心臓の鼓動に伴って発生する心電信号を検出し、この検出した心電信号を無線通信するものである。
【００１７】
図２は、心拍計測装置１０を装着者Ｓに取り付けた状態の横断面図である。図３は、図２の要部拡大図である。図４は、心拍計測装置１０の分解斜視図である。
図１〜図４に示すように、心拍計測装置１０は、装置本体２０と、装置本体２０の両側に一体的に設けられた一対の電極部２６Ａ，２６Ｂと、装置本体２０を装着者Ｓの胸部に装着するための固定バンド３０と、を備えている。
【００１８】
装置本体２０は、平面視で長方形状に形成されたケース２１と、このケース２１内に設けられた不図示の検出回路基板と、を備えている。
【００１９】
図３に示すように、ケース２１の長手方向両端部には、固定バンド３０を接続するための係止溝２５が、ケース２１の短手方向に沿って延設されている。各係止溝２５は、ケース２１の長手方向に沿う外側に向けて開口する開口部２５ａを有している。また、各係止溝２５の底部側には、開口部２５ａ側よりも溝幅が拡大された拡幅部２５ｂが形成されている。
【００２０】
検出回路基板は、一対の電極部２６Ａ，２６Ｂによって検出された信号に基づいた電気信号を生成する送信回路と、送信回路で生成された電気信号を外部に送出する無線送信部（いずれも不図示）と、を有している。
【００２１】
各電極部２６Ａ，２６Ｂは、それぞれ帯状の導電エラストマーより構成されている。導電エラストマーとしては、例えば、カーボンブラックを配合した導電シリコンゴムやカーボンブラックを配合した導電ゴム、カーボンブラックを配合した導電ポリウレタンゴム等を用いることができる。
【００２２】
図４に示すように、各電極部２６Ａ，２６Ｂは、装置本体２０を挟んで両側に配置されている。各電極部２６Ａ，２６Ｂは、その長手方向一端部に形成された接続部２７Ａ，２７Ｂ（図５参照）が、ケース２１内に収められた状態で、ケース２１に連結されている。また、電極部２６Ａ，２６Ｂは、図示しない配線パターンを通してケース２１内の検出回路基板に電気的に接続されている。
これにより、電極部２６Ａ，２６Ｂにより検出された信号が検出回路基板に出力されるようになっている。
【００２３】
このような装置本体２０においては、一対の電極部２６Ａ，２６Ｂによって心臓の鼓動に伴って発生する心電信号が検出される。装置本体２０の不図示の検出回路基板は、一対の電極部２６Ａ，２６Ｂによって検出された心電信号を無線により外部に出力する。
【００２４】
固定バンド（固定部材）３０は、帯状に形成された伸縮性を有する有端状のストラップであって、その延在方向に沿う両端部間に跨るように装置本体２０が連結されている。これにより、心拍計測装置１０は、装着者Ｓの胸部全周に亘って取り囲むように装着される。
固定バンド３０の延在方向に沿う中央部（装着者Ｓの背中側に位置する部分）には、固定バンド３０の長さを調整するための長さ調整具３１が設けられている。
【００２５】
固定バンド３０の延在方向に沿う両端部には、固定バンド３０と装置本体２０とを着脱可能とするためのストラップ着脱具３２が設けられている。ストラップ着脱具３２は、長円環状の枠体３２ａと、枠体３２ａの短軸方向に沿う一端部に連設されたプレート部３２ｂと、プレート部３２ｂにおいて枠体３２ａとは反対側の端部に、枠体３２ａの長軸方向に沿って延設されたフック部３２ｃと、を備えている。フック部３２ｃは、プレート部３２ｂの板厚よりも厚くなっている。なお、枠体３２ａ、プレート部３２ｂ、フック部３２ｃとは、一体に形成してもよいし、別体に形成した後に接合してもよい。
【００２６】
このように構成されたストラップ着脱具３２は、固定バンド３０に以下のように取り付けられている。すなわち、ストラップ着脱具３２の枠体３２ａに、固定バンド３０の端部を挿通した後、この端部をフック部３２ｃとは反対側に折り返して固定バンド３０自体に固着させる。これにより、固定バンド３０の長手方向両端に、ストラップ着脱具３２が取り付けられる。
【００２７】
そして、図３に示すように、装置本体２０に固定バンド３０を取り付ける場合は、ケース２１の係止溝２５に、ストラップ着脱具３２のプレート部３２ｂおよびフック部３２ｃを、ケース２１の短手方向に沿う一端側から挿入する。すると、ストラップ着脱具３２のうち、プレート部３２ｂが係止溝２５の開口部２５ａに進入した状態で、フック部３２ｃが係止溝２５の拡幅部２５ｂに係止される。このようにして、ストラップ着脱具３２を係止することにより、装置本体２０に固定バンド３０が取り付けられる。
【００２８】
図２、図３に示すように、装置本体２０に固定バンド３０を取り付けた状態において、電極部２６Ａ，２６Ｂは固定バンド３０に覆われた状態になる。すなわち、固定バンド３０は、装置本体２０および電極部２６Ａ，２６Ｂを装着者Ｓの身体に着脱可能に固定する役割と、心拍計測装置１０を装着者Ｓに装着した際、電極部２６Ａ，２６Ｂを外側から覆って、電極部２６Ａ，２６Ｂを装着者Ｓの胸部へと押圧することで、胸部と電極部２６Ａ，２６Ｂとの接触状態を維持する役割と、の双方の役割を有している。
【００２９】
図５は、心拍計測装置１０におけるガイド部４０Ａを示す斜視図である。図６は、図１のＡ−Ａ線に相当する断面図である。
図５、図６に示すように、電極部２６Ａ，２６Ｂと固定バンド３０との間には、電極部２６Ａ，２６Ｂと固定バンド３０との固定バンド３０の延在方向（以下、単に延在方向という）への相対移動を許容し、延在方向に直交する幅方向（以下、単に幅方向という）への移動を規制するガイド部４０Ａが配設されている。
本実施形態において、ガイド部４０Ａは、電極部２６Ａ，２６Ｂ側において延在方向に沿って連続的に延びるレール状の突条（係合部）４１と、固定バンド３０側に配設されて突条４１に幅方向で嵌合される凸部（被係合部）４２と、を備えている。
【００３０】
突条４１は、電極部２６Ａ，２６Ｂにおいて固定バンド３０側に位置する表面２６ｆに、電極部２６Ａ，２６Ｂと一体に形成されている。突条４１は、電極部２６Ａ，２６Ｂの表面２６ｆにおいて、幅方向に沿って等間隔に複数列（本実施形態では例えば４列）形成されている。各突条４１は、延在方向に沿う中央部に位置する中央延在部４１ｃと、中央延在部４１ｃの延在方向に沿う両端部に連設され、延在方向に沿う外側に向かうに従い電極部２６Ａ，２６Ｂの表面２６ｆからの突出高さが漸次低くなるスロープ部４１ａ，４１ｂと、を有している。なお、中央延在部４１ｃは、電極部２６Ａ，２６Ｂの表面２６ｆからの突出高さが延在方向に沿う全体に亘って均一になっている。
【００３１】
また、各突条４１は、延在方向から見た断面形状が、基端部から先端部に向けて幅が漸次小さくなる台形状とされている。すなわち、各突条４１は、幅方向の両側に位置する両側面が、電極部２６Ａ，２６Ｂの表面２６ｆの法線方向に対して傾斜している。
【００３２】
凸部４２は、固定バンド３０において電極部２６Ａ，２６Ｂ側に位置する表面３０ｆに設けられた長方形状のベース部材４３に一体に形成されている。
ベース部材４３は、その長手方向を固定バンド３０の幅方向に一致させた状態で、固定バンド３０に縫い付けられている。なお、ベース部材４３は、接着等により固定バンド３０に固定しても構わない。
【００３３】
凸部４２は、ベース部材４３において延在方向に沿って連続的に延びるレール状とされている。ただし、凸部４２の延在方向の長さは、突条４１の延在方向の長さよりも短くなっている。また、凸部４２は、幅方向に沿って等間隔に複数列に形成されている。各凸部４２は、各突条４１の幅方向両側に位置するよう、突条４１の数よりも一つ多く（本実施形態では５列）形成されている。そして、幅方向で隣接する各凸部４２間に、上記突条４１が各別に嵌合される。すなわち、図６に示すように、突条４１は、各凸部４２に幅方向で挟み込まれている。
【００３４】
また、各凸部４２は、延在方向から見た断面形状が、基端部から先端部に向けて、幅が漸次小さくなる台形状とされている。そして、各凸部４２は、幅方向の両側に位置する両側面が、突条４１の両側面と平行となるよう、固定バンド３０の表面３０ｆの法線方向に対して傾斜している。
【００３５】
各凸部４２は、固定バンド３０の表面３０ｆの法線方向に沿う突出高さが、突条４１における電極部２６Ａ，２６Ｂの表面２６ｆの法線方向に沿う突出高さよりも高くなっている。したがって、図６に示す状態において、突条４１の先端部とベース部材４３との間には隙間が形成されている。
【００３６】
このような構成のもと、装置本体２０に固定バンド３０を取り付ける際、固定バンド３０側の各凸部４２間に電極部２６Ａ，２６Ｂ側の突条４１を各別に嵌合させた状態で、心拍計測装置１０を装着者Ｓの胸部に装着する。これにより、電極部２６Ａ，２６Ｂが固定バンド３０に外側から覆われた状態で、心拍計測装置１０が装着者Ｓに装着される。このとき、電極部２６Ａ，２６Ｂのうち、凸部４２と突条４１とが嵌合している部分は、他の部分に比べて装着者Ｓの胸部側に局所的に押圧される。すなわち、固定バンド３０の締め付け力が、凸部４２を介して電極部２６Ａ，２６Ｂに局所的に伝達されることになる。これにより、電極部２６Ａ，２６Ｂを胸部に確実に接触させることができ、心電信号の検出を確実に行うことができる。
【００３７】
そして、本実施形態では、ガイド部４０Ａの突条４１と凸部４２とが幅方向で嵌合しているため、電極部２６Ａ，２６Ｂと固定バンド３０との延在方向への相対移動が許容されるとともに、幅方向への移動が規制される。
具体的に、装着者Ｓの深呼吸や動作等によって、固定バンド３０が延在方向に伸縮した場合には、突条４１と凸部４２とが延在方向に沿って相対的にスライド（摺動）することで、電極部２６Ａ，２６Ｂと固定バンド３０とが延在方向に沿って相対移動することになる。すなわち、電極部２６Ａ，２６Ｂは固定バンド３０の伸縮に追従しないので、固定バンド３０の伸縮に伴って電極部２６Ａ，２６Ｂが延在方向に引っ張られるのを抑制できる。したがって、装着者Ｓの胸部に対する電極部２６Ａ，２６Ｂの位置がずれるのを抑制して、胸部に対する電極部２６Ａ，２６Ｂの接触状態や接触位置を安定させることができる。
また、固定バンド３０の伸縮に伴って電極部２６Ａ，２６Ｂが延在方向に引っ張られるのを抑制できるので、電極部２６Ａ，２６Ｂの断線等も防ぐことができる。
【００３８】
一方、ガイド部４０Ａの突条４１と凸部４２とが幅方向で嵌合しているため、電極部２６Ａ，２６Ｂと固定バンド３０との幅方向への移動が規制される。これにより、電極部２６Ａ，２６Ｂが固定バンド３０に対して幅方向にずれたり外れたりするのを防ぎ、胸部に対する電極部２６Ａ，２６Ｂの接触状態や接触位置を安定させることができる。
その結果、電極部２６Ａ，２６Ｂによって安定、かつ良好に心電信号を検出することができる。
【００３９】
そして、本実施形態では、突条４１と凸部４２とが幅方向で嵌合されるため、電極部２６Ａ，２６Ｂと固定バンド３０との延在方向への相対移動を許容し、幅方向への移動を規制した上で、ガイド部４０Ａによる電極部２６Ａ，２６Ｂと固定バンド３０との嵌合状態を確実に維持できる。
また、本実施形態では、突条４１および凸部４２が幅方向に複数配設されているので、例えば装着者Ｓの激しい動作（例えば、ひねり等）により、万が一、凸部４２が一の突条４１に対して幅方向に相対変位して一の突条４１を乗り越えてしまっても、一の突条４１に隣接する他の突条４１と凸部４２とが再び嵌合することで、突条４１と凸部４２との嵌合状態が維持される。これにより、胸部に対する電極部２６Ａ，２６Ｂの接触状態や接触位置を確実に安定させることができる。
【００４０】
さらに、固定バンド３０側の凸部４２が電極部２６Ａ，２６Ｂ側の突条４１よりも延在方向に沿う長さが短くなっているため、電極部２６Ａ，２６Ｂの延在方向に沿う外側端部から凸部４２がはみ出すのを抑制できる。そのため、凸部４２が生体表面に接触するのを抑制し、快適な装着性を実現できる。
【００４１】
加えて、突条４１は、中央延在部４１ｃの延在方向に沿う両端部に、延在方向の外側に向かうに従い突出高さが漸次低くなるスロープ部４１ａ，４１ｂが形成されているため、スロープ部４１ａ，４１ｂを経て中央延在部４１ｃに向かうにしたがい、突条４１と凸部４２との嵌合力が大きくなる。したがって、例えば突条４１と凸部４２とを嵌合させる際に、電極部２６Ａ，２６Ｂと固定バンド３０とを延在方向に相対移動させて、スロープ部４１ａ，４１ｂ側から凸部４２を突条４１内に進入させることで、突条４１と凸部４２とを容易に嵌合させることができる。
【００４２】
（第一実施形態の変形例）
次に、上記第一実施形態の変形例を示す。上記第一実施形態では、固定バンド３０側の凸部４２を、延在方向に沿って延びるレール状とした場合について説明したが、これに限られない。例えば、図７に示すガイド部４０Ｂのように、凸部（被係合部）４４を、電極部２６Ａ，２６Ｂ側（固定バンド３０の表面３０ｆの法線方向）に向けて延びる円柱状としても構わない。
【００４３】
この構成によれば、上記第一実施形態と同様の作用効果を奏することに加え、突条４１と凸部４４との嵌合時において、上記第一実施形態のようなレール状の凸部４２に比べて、突条４１と凸部４４との延在方向に沿う接触面積を小さくできる。これにより、突条４１と凸部４４との嵌合力を小さくすることができ、各凸部４４間に突条４１を嵌合させ易くなるので、装着作業が容易になる。また、固定バンド３０が延在方向に伸縮した場合に、電極部２６Ａ，２６Ｂと固定バンド３０とを延在方向に沿ってスムーズに相対移動させることができる。
【００４４】
また、図８に示すガイド部４０Ｃにおいて、突条４１は、延在方向に沿って連続的に延びるレール状を呈するとともに、電極部２６Ａ，２６Ｂの幅方向両端部に一対配設されている。一方、凸部（被係合部）４５は、固定バンド３０において幅方向に沿う各突条４１間に位置する部分に配設された矩形ブロック状とされている。そして、装置本体２０に固定バンド３０を取り付ける際には、各突条４１間に凸部４５を幅方向で嵌合させるようになっている。
【００４５】
この構成によれば、上記第一実施形態と同様の作用効果を奏するとともに、各突条４１間に１つの凸部４５を嵌合させるだけなので、装着作業が容易になる。また、固定バンド３０が延在方向に伸縮した場合に、電極部２６Ａ，２６Ｂと固定バンド３０とを延在方向に沿ってスムーズに相対移動させることができる。
【００４６】
また、図９に示すガイド部４０Ｄは、電極部２６Ａ，２６Ｂにおいて、固定バンド３０側（表面２６ｆの法線方向）に向けて突出する円柱状の突起４７を備えている。突起４７は、延在方向に沿って間隔を隔てて複数配列されて突起列（係合部）４８を構成し、この突起列４８が幅方向に間隔を空けて複数（本実施形態では例えば４列）配列されている。なお、各突起列４８において、延在方向に沿う突起４７間の配列ピッチＰは、凸部４２の延在方向に沿う長さＬよりも短くなっていることが好ましい。
この構成によれば、上記実施形態と同様の作用効果を奏することができる。
【００４７】
さらに、上記第一実施形態および各変形例では、電極部２６Ａ，２６Ｂ側に、突条４１や突起列４８を配設した場合について説明したが、これに限るものではない。例えば、電極部２６Ａ，２６Ｂ側に凸部４２，４４，４５に嵌合される溝等を形成しても構わない。
また、上記第一実施形態および各変形例では、電極部２６Ａ，２６Ｂ側に、突条４１や突起列４８を配設し、固定バンド３０側に凸部４２，４４，４５を配設した場合について説明したが、これとは逆に、固定バンド３０側に突条４１や突起列４８を配設し、電極部２６Ａ，２６Ｂ側に凸部４２，４４，４５を配設しても構わない。
さらに、突条４１や突起列４８と、各凸部４２，４４，４５と、の延在方向に沿う嵌合位置は、適宜設計変更が可能である。
【００４８】
（第二実施形態）
次に、本発明に係る心拍計測装置１０の第二実施形態について説明する。なお、以下の説明では、上記第一実施形態と同様の構成については同一の符号を付して説明を省略する。図１０は、本発明の第二実施形態におけるガイド部４０Ｅの構成を示す図である。本実施形態では、図１０に示すように、電極部（他方の部材）２６Ａ，２６Ｂの幅方向両側の端縁部をガイド部４０Ｅとして利用する点で、第一実施形態とは異なっている。
【００４９】
具体的に、本実施形態のガイド部４０Ｅは、固定バンド（固定部材、一方の部材）３０において、電極部２６Ａ，２６Ｂ側に向けて突出する一対の凸部（係合部）５２を備えている。これら凸部５２は、延在方向に沿って連続的に延びるレール状とされている。また、各凸部５２間の幅方向に沿う間隔Ｗ１は、電極部２６Ａ，２６Ｂの幅Ｗ２と同等になっており、各凸部５２の内側に電極部２６Ａ，２６Ｂが嵌合されるようになっている。
【００５０】
この構成によれば、各凸部５２間に電極部２６Ａ，２６Ｂ自体が幅方向で嵌合されることで、電極部２６Ａ，２６Ｂと固定バンド３０との延在方向への相対移動が許容されるとともに、幅方向への移動が規制される。
そして、本実施形態では、上記第一実施形態と同様の作用効果を奏するとともに、電極部２６Ａ，２６Ｂ自体をガイド部４０Ｅとして機能させることで、構成の簡素化や低コスト化を図ることができる。
【００５１】
なお、本発明は、図面を参照して説明した上記各実施形態に限定されるものではなく、その技術的範囲において様々な変形例が考えられる。
例えば、各実施形態では、電極部２６Ａ，２６Ｂ側の係合部（例えば、突条４１や突起列４８、電極部２６Ａ，２６Ｂ自体）と、固定バンド３０の被係合部（例えば、凸部４２，４４，４５，５２）と、を嵌合させる構成について説明したが、これに限られない。すなわち、ガイド部が、電極部２６Ａ，２６Ｂと固定バンド３０との延在方向への相対移動を許容し、幅方向への移動を規制する構成であれば構わない。
【００５２】
特に、係合部と被係合部とは、係合されていれば構わない。例えば、係合部と被係合部とを幅方向に隙間をあけて係合させても構わない。なお、係合部や被係合部の数や高さ、幅、延在方向に沿う長さ等を適宜調整することで、係合部および被係合部間の係合力を調整することができる。
また、突条４１等の幅を延在方向に沿って変化させても構わない。これにより、係合部と被係合部との係合力を延在方向で変化させることができる。
【００５３】
また、上記実施形態では、凸部４２，４４，４５がベース部材４３を介して固定バンド３０に取り付けられた構成について説明したが、これに限らず、凸部４２，４４，４５を固定バンド３０に直接形成しても構わない。
また、上記実施形態では、本発明の生体情報検出装置として装着者Ｓの心拍数を計測する心拍計測装置１０について説明したが、これに限らず、さまざまな生体情報検出装置に適用することが可能である。すなわち、生体情報検出装置として、血圧、体温、筋電位等を計測する装置に本発明の構成を適用することが可能である。
【００５４】
また、上記実施形態では、固定部材が伸縮性を有する素材からなる場合について説明したが、これに限らず、種々の素材を採用しても構わない。
また、上記実施形態では、固定部材を有端状の固定バンド３０として説明したが、これに限らず、無端状の固定バンドを用い、装置本体２０および電極部２６Ａ，２６Ｂ全体を外側から覆う構成であっても構わない。
さらに、帯状の固定部材が衣類（シャツや、ズボン、帽子等、身体で着用可能なもの）に備えられた構成であっても構わない。
【００５５】
さらに、上記第二実施形態では、電極部２６Ａ，２６Ｂの幅方向の両端縁をガイド部４０Ｅとして利用した場合について説明したが、これに限らず、固定バンド３０自体をガイド部として利用しても構わない。
【００５６】
その他、本発明の趣旨を逸脱しない範囲で、上記した実施の形態における構成要素を周知の構成要素に置き換えることは適宜可能である。
【符号の説明】
【００５７】
１０…心拍計測装置（生体情報検出装置）
２０…装置本体
２６Ａ，２６Ｂ…電極部（他方の部材）
３０…固定バンド（固定部材、一方の部材）
４０Ａ〜４０Ｅ…ガイド部
４１…突条（係合部）
４２，４４，４５…凸部（被係合部）
４８…突起列（係合部）
５２…凸部（係合部）
Ｓ…装着者
【図１】
2015083064.tif 000003
【図２】
2015083064.tif 000004
【図３】
2015083064.tif 000005
【図４】
2015083064.tif 000006
【図５】
2015083064.tif 000007
【図６】
2015083064.tif 000008
【図７】
2015083064.tif 000009
【図８】
2015083064.tif 000010
【図９】
2015083064.tif 000011
【図１０】
2015083064.tif 000012